(57)【要約】【課題】ドア部材が開位置から閉位置に移動された場合、輸液チューブを閉塞状態から送液状態に状態変化させるアンチフリーフロー機構を提供すること。【解決手段】アンチフリーフロー機構２００は、輸液チューブ５を収容可能な収容部１３０を有する筐体１０１と、筐体１０１に回動可能に連結されるドア部材１１０と、収容部１３０に収容配置され、輸液チューブ５を閉状態と開状態とに状態変化可能なクリップ部材１５０と、ドア部材１１０における収容部１３０側に形成されドア部材１１０が開位置から閉位置に移動する場合、開位置と閉位置との間の所定位置においてクリップ部材１５０の閉状態を解除させる解除部材１１７と、を備える。【選択図】図９
2017064276.tif 000002
【特許請求の範囲】
【請求項１】
内部の液体を送液可能な輸液チューブを第１方向（垂直方向）に沿うように配置して収容可能な収容部を有する筐体と、
前記筐体に回動可能に連結され、前記収容部に収容配置された前記輸液チューブの一部を外部に露出させる開位置と外部に露出させない閉位置とに回動移動可能なドア部材と、
第１方向に垂直な平面方向（水平方向）に開閉可能に前記収容部に収容配置され、前記輸液チューブを挟み込み内部の液体を送液できない閉塞状態にする閉状態と、内部の液体を送液できる送液状態にする開状態とに状態変化可能に構成されるクリップ部材であって、
前記輸液チューブにおける一方の側面側に配置され、第１係合部、及び前記閉状態において前記輸液チューブにおける一方の側面を押圧する第１押圧部を有する第１クリップ部と、
前記輸液チューブにおける他方の側面側に配置され、前記第１係合部に係合し該クリップ部材を前記閉状態で維持させる第２係合部、及び前記閉状態において前記輸液チューブにおける他方の側面を押圧し前記第１押圧部と共に前記輸液チューブを閉塞状態にする第２押圧部と、を有する第２クリップ部と、
前記第１クリップ部又は前記第２クリップ部に前記第１方向に突出して形成され、外部からの力を前記第１係合部又は前記第２係合部に伝える被押圧部と、
前記第１係合部と前記第２係合部との係合が解除されると該クリップ部材が前記閉状態から前記開状態に状態変化するよう前記第１クリップ部と前記第２クリップ部とを連結するバネ連結部と、を有するクリップ部材と、
前記ドア部材における前記収容部側に形成され、
前記ドア部材が前記開位置に位置した場合には前記被押圧部を押圧せず、
前記開位置から前記閉位置に移動する場合、前記開位置と前記閉位置との間の所定位置において前記被押圧部を押圧して前記第１係合部と前記第２係合部との係合を解除させる解除部材と、を備えるアンチフリーフロー機構。
【請求項２】
前記クリップ部材における前記平面方向（水平方向）の一方側に配置され、前記第１クリップ部又は前記第２クリップ部の前記平面方向への移動を規制する規制部と、
前記ドア部材が前記閉位置から前記開位置に回動移動するにともない、前記開状態の前記クリップ部材における前記他方側を押圧して前記第１係合部と前記第２係合部とを係合させ、前記クリップ部材を前記開状態から前記閉状態に状態変化させるクリップ押圧機構部と、を更に備える請求項１に記載のアンチフリーフロー機構。
【請求項３】
前記クリップ押圧機構部は、
前記ドア部材の回動軸と同軸に連結される第１歯車と、
前記第１歯車に噛み合って配置され、前記ドア部材が前記閉位置から前記開位置に回動移動した場合における前記第１歯車の回転により第１回転方向に回転する第２歯車と、
前記第２歯車に噛み合って配置される第３歯車と、
前記クリップ部材における前記平面方向の他方側に配置され前記第３歯車と同軸に連結されるクリップ押圧カムであって、前記ドア部材が前記閉位置から前記開位置に回動移動するにともない、前記開状態の前記クリップ部材における前記他方側を押圧して前記第１係合部と前記第２係合部とを係合させ、前記クリップ部材を前記開状態から前記閉状態に状態変化させるクリップ押圧カムと、を備える請求項２に記載のアンチフリーフロー機構。
【請求項４】
前記クリップ押圧機構部は、
前記ドア部材が前記開位置に位置した場合、前記クリップ押圧カムが、前記クリップ部材における前記閉状態から前記開状態への状態変化を規制し、
前記ドア部材が前記開位置から前記閉位置に回動移動した場合、前記ドア部材が前記所定位置に位置した状態において、前記クリップ押圧カムが、前記クリップ部材における前記閉状態から前記開状態への状態変化を規制しないよう構成される請求項３に記載のアンチフリーフロー機構。
【請求項５】
前記クリップ押圧機構部は、
一端側が前記ドア部材に直接又は間接的に連結され、前記ドア部材の回動移動に対応して他端側が移動される腕部材と、
前記クリップ部材における前記平面方向の他方側に配置され前記腕部材の他端側に連結されるクリップ押圧部材であって、前記ドア部材が前記閉位置から前記開位置に回動移動するにともない、前記開状態の前記クリップ部材における前記他方側を押圧して前記第１係合部と前記第２係合部とを係合させ、前記クリップ部材を前記開状態から前記閉状態に状態変化させるクリップ押圧部材と、を備える請求項２に記載のアンチフリーフロー機構。
【請求項６】
前記クリップ押圧機構部は、
前記ドア部材が前記開位置に位置した場合、前記クリップ押圧部材が、前記クリップ部材における前記閉状態から前記開状態への状態変化を規制し、
前記ドア部材が前記開位置から前記閉位置に回動移動した場合、前記ドア部材が前記所定位置に位置した状態において、前記クリップ押圧部材が、前記クリップ部材における前記閉状態から前記開状態への状態変化を規制しないよう構成される請求項５に記載のアンチフリーフロー機構。
【請求項７】
請求項１〜６のいずれかに記載のアンチフリーフロー機構と、
前記収容部に収容配置された前記輸液チューブの一部に当接し該輸液チューブ内の液体を送液させる送液部と、を備える輸液装置。
【発明の詳細な説明】
【技術分野】
【０００１】
本発明は、所定の収容部に輸液チューブを着脱する際におけるフリーフローの発生を抑制するアンチフリーフロー機構に関する。また、本発明は、該アンチフリーフロー機構を備える輸液装置に関する。
【背景技術】
【０００２】
従来、医療現場において、患者に薬液を投与する場合、所定の投与速度で正確な量の薬液を投与する必要がある。この場合、送液部が内蔵された輸液装置が用いられる。
輸液装置として、例えば、輸液チューブの外部をフィンガー部により挟みながら所定量の薬液を投与する輸液装置が提案されている（例えば、特許文献１参照。）。当該輸液装置は、薬液の投与が終了した場合、チューブ閉塞部を駆動させて、輸液チューブを外部から挟み込んで送液されない閉塞状態にさせる。
【先行技術文献】
【特許文献】
【０００３】
【特許文献１】特開２００５−１３１０７９号公報
【発明の概要】
【発明が解決しようとする課題】
【０００４】
ここで、特許文献１の輸液装置において、輸液チューブを交換する場合、チューブ閉塞部を駆動させて閉塞状態を解除する必要がある。この場合、輸液チューブ内の薬液が重力により患者側に送液され、意図する量よりも過量の薬液が患者に対して投与される可能性がある。
そのため、輸液チューブが輸液装置から取り外される際には、該輸液チューブはクリップ部材等により閉塞状態が維持されていることが好ましい。また、薬液の投与中においては、輸液チューブは送液可能な状態であることが好ましい。
つまり、輸液装置のカバー部材が開いている状態では輸液チューブがクリップ部材等により閉塞されており、カバー部材が閉じている状態では輸液チューブが閉塞されてないようにする機構及び該機構を有する輸液装置が望まれている。
【０００５】
本発明は、ドア部材が開位置から閉位置に移動された場合、輸液チューブを閉塞状態から送液状態に状態変化させるアンチフリーフロー機構に関する。
また、本発明は、ドア部材が閉位置から開位置に移動された場合、輸液チューブを送液状態から閉塞状態に状態変化させるアンチフリーフロー機構に関する。
また、本発明は、上記アンチフリーフロー機構を備える輸液装置に関する。
【課題を解決するための手段】
【０００６】
本発明は、内部の液体を送液可能な輸液チューブを第１方向に沿うように配置して収容可能な収容部を有する筐体と、前記筐体に回動可能に連結され、前記収容部に収容配置された前記輸液チューブの一部を外部に露出させる開位置と外部に露出させない閉位置とに回動移動可能なドア部材と、第１方向に垂直な平面方向に開閉可能に前記収容部に収容配置され、前記輸液チューブを挟み込み内部の液体を送液できない閉塞状態にする閉状態と、内部の液体を送液できる送液状態にする開状態とに状態変化可能に構成されるクリップ部材であって、前記輸液チューブにおける一方の側面側に配置され、第１係合部、及び前記閉状態において前記輸液チューブにおける一方の側面を押圧する第１押圧部を有する第１クリップ部と、前記輸液チューブにおける他方の側面側に配置され、前記第１係合部に係合し該クリップ部材を前記閉状態で維持させる第２係合部、及び前記閉状態において前記輸液チューブにおける他方の側面を押圧し前記第１押圧部と共に前記輸液チューブを閉塞状態にする第２押圧部と、を有する第２クリップ部と、前記第１クリップ部又は前記第２クリップ部に前記第１方向に突出して形成され、外部からの力を前記第１係合部又は前記第２係合部に伝える被押圧部と、前記第１係合部と前記第２係合部との係合が解除されると該クリップ部材が前記閉状態から前記開状態に状態変化するよう前記第１クリップ部と前記第２クリップ部とを連結するバネ連結部と、を有するクリップ部材と、前記ドア部材における前記収容部側に形成され、前記ドア部材が前記開位置に位置した場合には前記被押圧部を押圧せず、前記開位置から前記閉位置に移動する場合、前記開位置と前記閉位置との間の所定位置において前記被押圧部を押圧して前記第１係合部と前記第２係合部との係合を解除させる解除部材と、を備えるアンチフリーフロー機構に関する。
【０００７】
また、アンチフリーフロー機構は、前記クリップ部材における前記平面方向の一方側に配置され、前記第１クリップ部又は前記第２クリップ部の前記平面方向への移動を規制する規制部と、前記ドア部材が前記閉位置から前記開位置に回動移動するにともない、前記開状態の前記クリップ部材における前記他方側を押圧して前記第１係合部と前記第２係合部とを係合させ、前記クリップ部材を前記開状態から前記閉状態に状態変化させるクリップ押圧機構部と、を更に備えることが好ましい。
【０００８】
また、前記クリップ押圧機構部は、前記ドア部材の回動軸と同軸に連結される第１歯車と、前記第１歯車に噛み合って配置され、前記ドア部材が前記閉位置から前記開位置に回動移動した場合における前記第１歯車の回転により第１回転方向に回転する第２歯車と、前記第２歯車に噛み合って配置される第３歯車と、前記クリップ部材における前記平面方向の他方側に配置され前記第３歯車と同軸に連結されるクリップ押圧カムであって、前記ドア部材が前記閉位置から前記開位置に回動移動するにともない、前記開状態の前記クリップ部材における前記他方側を押圧して前記第１係合部と前記第２係合部とを係合させ、前記クリップ部材を前記開状態から前記閉状態に状態変化させるクリップ押圧カムと、を備えることが好ましい。
【０００９】
また、前記クリップ押圧機構部は、前記ドア部材が前記開位置に位置した場合、前記クリップ押圧カムが、前記クリップ部材における前記閉状態から前記開状態への状態変化を規制し、前記ドア部材が前記開位置から前記閉位置に回動移動した場合、前記ドア部材が前記所定位置に位置した状態において、前記クリップ押圧カムが、前記クリップ部材における前記閉状態から前記開状態への状態変化を規制しないよう構成されることが好ましい。
【００１０】
また、前記クリップ押圧機構部は、一端側が前記ドア部材の回動軸に直接又は間接的に連結され、前記ドア部材の回動移動に対応して他端側が回動移動される腕部材と、前記クリップ部材における前記平面方向の他方側に配置され前記腕部材の他端側に連結されるクリップ押圧部材であって、前記ドア部材が前記閉位置から前記開位置に回動移動するにともない、前記開状態の前記クリップ部材における前記他方側を押圧して前記第１係合部と前記第２係合部とを係合させ、前記クリップ部材を前記開状態から前記閉状態に状態変化させるクリップ押圧部材と、を備えることが好ましい。
【００１１】
また、前記クリップ押圧機構部は、前記ドア部材が前記開位置に位置した場合、前記クリップ押圧部材が、前記クリップ部材における前記閉状態から前記開状態への状態変化を規制し、前記ドア部材が前記開位置から前記閉位置に回動移動した場合、前記ドア部材が前記所定位置に位置した状態において、前記クリップ押圧部材が、前記クリップ部材における前記閉状態から前記開状態への状態変化を規制しないよう構成されることが好ましい。
【００１２】
また、本発明は、上述のいずれかのアンチフリーフロー機構と、前記収容部に収容配置された前記輸液チューブの一部に当接し該輸液チューブ内の液体を送液させる送液部と、を備える輸液装置に関する。
【発明の効果】
【００１３】
本発明によれば、ドア部材が開位置から閉位置に移動された場合、輸液チューブを閉塞状態から送液状態に状態変化させるアンチフリーフロー機構を提供することができる。
また、本発明によれば、ドア部材が閉位置から開位置に移動された場合、輸液チューブを送液状態から閉塞状態に状態変化させるアンチフリーフロー機構を提供することができる。
また、本発明によれば、上記アンチフリーフロー機構を備える輸液装置を提供することができる。
【図面の簡単な説明】
【００１４】
【図１】第１実施形態における輸液ラインシステムの全体構成を示す図である。
【図２】ドア部材が開位置に位置した輸液装置の構成を説明する図である。
【図３】ドア部材が閉位置に位置した輸液装置の構成を説明する図である。
【図４】図２の部分拡大図であって、ＡＦＦ機構の構成を説明する図である。
【図５】クリップ押圧機構部及びＡＦＦ機構の構成を説明する図である。
【図６】クリップ部材の構成を説明する斜視図である。
【図７】（ａ）は開状態のクリップ部材、（ｂ）は閉状態のクリップ部材を説明する図である。
【図８】（ａ）から（ｄ）は輸液チューブを輸液装置に取り付ける一連の動作を説明する図である。
【図９】（ａ）から（ｅ）はドア部材を開位置から閉位置に回動移動させた場合におけるＡＦＦ機構の作用を説明する図である。
【図１０】（ａ）から（ｅ）はドア部材を閉位置から開位置に回動移動させた場合におけるＡＦＦ機構の作用を説明する図である。
【図１１】（ａ）から（ｃ）は輸液チューブを輸液装置から取り外す一連の動作を説明する図である。
【図１２】第２実施形態におけるＡＦＦ機構の概要を説明する図である。
【図１３】第２実施形態におけるＡＦＦ機構の構成を説明する図である。
【図１４】第２実施形態におけるクリップ収容筐体を説明する図である。
【図１５】第２実施形態におけるクリップ押圧機構部を説明する図である。
【図１６】第２実施形態のＡＦＦ機構において、ドア部材を閉位置に位置させた状態を示す図である。
【図１７】第２実施形態のＡＦＦ機構において、ドア部材を開位置に位置させた状態を示す図である。
【発明を実施するための形態】
【００１５】
以下、本発明の実施形態について図１から図１７を参照しながら説明する。
まず、図１から図１１により、第１実施形態について説明する。
図１により、第１実施形態における輸液ラインシステム１の全体構成について説明する。図１に示すように、輸液ラインシステム１は、輸液バッグ２と、輸液チューブ５と、輸液装置１０と、を有して構成される。
【００１６】
輸液バッグ２は、薬液３を貯留する袋状の部材である。輸液バッグ２には、輸液チューブ５が送液可能に連結される。輸液バッグ２には、例えば、使用状態において垂直方向下端側に輸液チューブ５が連結される。
【００１７】
輸液チューブ５は、輸液バッグ２からの薬液３（液体）を送液可能に構成される中空状の部材である。輸液チューブ５には、不図示の輸液導入針や静脈針等が連結される。輸液チューブ５は、輸液バッグ２に貯留される薬液３を不図示の患者側に送液する部材である。
輸液チューブ５は、一部が輸液装置１０に着脱される。具体的には、輸液チューブ５は、後述するドア部材１１０が開位置に位置している状態（図２参照）において、輸液装置１０に着脱される。輸液チューブ５は、後述するクリップ部材１５０により薬液３が送液されない閉塞状態にされた状態で輸液装置１０に着脱される。
また、輸液チューブ５は、ドア部材１１０が開位置から閉位置に回動移動されることで、後述するＡＦＦ機構２００により閉塞状態から開状態に状態変化される。
【００１８】
輸液装置１０は、送液部１９０と、ＡＦＦ機構（アンチフリーフロー機構）２００と、を備える。
送液部１９０は、後述する収容部１３０に収容配置された輸液チューブ５の一部に当接し該輸液チューブ５内の薬液３を送液させる。本実施形態においては、送液部１９０は、不図示のフィンガー部による輸液チューブ５の圧閉動作により、輸液チューブ５内の薬液３を不図示の患者側へ所定量ずつ送液する。
輸液装置１０におけるＡＦＦ機構２００を含む構成の詳細については以下に詳述する。
【００１９】
図２から図９により、輸液装置１０の構成について詳述する。
まず、図２から図５に示すように、輸液装置１０は、輸液装置１０の操作に必要なタッチパネル１０５や電源スイッチ１０６を有する。また、輸液装置１０は、送液部１９０を制御する不図示の制御部等を有する。
【００２０】
輸液装置１０は、ＡＦＦ機構（アンチフリーフロー機構）２００を備える。ＡＦＦ機構２００は、薬液３が送液される状態においては輸液チューブ５を送液可能な開状態にし、輸液チューブ５を輸液装置１０から取り外す際において輸液チューブ５を送液できない閉塞状態にするよう構成される。
【００２１】
図２から図５に示すように、ＡＦＦ機構２００は、筐体１０１と、ドア部材１１０と、クリップ部材１５０と、解除部材１１７と、クリップ押圧機構部３００と、を備える。
【００２２】
筐体１０１は、収容部１３０を有する。
図２に示すように、収容部１３０は、輸液チューブ５を第１方向である垂直方向Ｚに沿うように配置して収容可能に構成される。
また、収容部１３０には、送液部１９０が配置される。送液部１９０は、輸液チューブ５を収容するガイド部１９１を有する。
また、収容部１３０は、輸液チューブ５を取り付ける第１取付け部１３１、気泡検出部１３２、第２取付け部１３３を有する。
ここで、輸液チューブ５は、ガイド部１９１、第１取付け部１３１及び第２取付け部１３３に押し入れられるように、かつ、気泡検出部１３２の間を通過するように取り付けられることで、収容部１３０に垂直方向Ｚに沿って配置された状態で収容される。
【００２３】
収容部１３０は、クリップ収容部１３５を有する。
図２及び図４に示すように、クリップ収容部１３５は、収容部１３０の一部が収容部１３０よりも更に凹んで形成される。クリップ収容部１３５は、輸液チューブ５に取り付けられたクリップ部材１５０を収容する部分である。クリップ収容部１３５は、輸液チューブ５を閉塞状態にするように該輸液チューブ５を挟み込むクリップ部材１５０を収容する。クリップ収容部１３５は、クリップ部材１５０が水平方向に開閉可能となるようにクリップ部材１５０を収容する。
【００２４】
図４に示すように、クリップ収容部１３５には、規制部１３７が配置される。
規制部１３７は、クリップ部材１５０の水平方向（垂直方向Ｚに垂直なＸＹ平面方向）における一方側（本実施形態においては、例えば図４における右側）に配置される。規制部１３７は、後述するクリップ部材１５０における第１クリップ部１５１の水平方向への移動を規制する。
規制部１３７は、後述するクリップ押圧カム３１７と共にクリップ収容部１３５の水平方向（例えば、図４における左右方向）の長さを規定する。
【００２５】
クリップ収容部１３５の水平方向の長さは、上述の通り、規制部１３７とクリップ押圧カム３１７とにより規定される。後述するように、クリップ押圧カム３１７はドア部材１１０の回動移動により回転し、収容部１３０の水平方向の長さを変化させる。
本実施形態においては、クリップ収容部１３５は、ドア部材１１０が開位置に位置した場合には、閉状態のクリップ部材１５０を、開状態への状態変化を規制した状態で収容可能とし、ドア部材１１０が閉位置に位置した場合には、閉状態のクリップ部材１５０の開状態への状態変化を規制することなくクリップ部材１５０を収容可能となるよう、水平方向の長さが変化する。
【００２６】
また、図２に示すように、筐体１０１における正面１０２には、上述のタッチパネル１０５と、電源スイッチ１０６とが外部に露出して配置される。また、筐体１０１の内部には、不図示の制御部（例えば、ＣＰＵや各種電子部品）が収容配置される。
【００２７】
続けて、図２から図５に示すように、筐体１０１には、ドア部材１１０が連結される。ドア部材１１０は、垂直方向Ｚに沿って配置される回動軸１１５を回動中心として回動可能に筐体１０１に連結される。
また、ドア部材１１０は、収容部１３０に収容配置された輸液チューブ５の一部を外部に露出させる開位置（図２参照）と、外部に露出させない閉位置（図３参照）とに回動移動可能に構成される。
【００２８】
図２及び図４に示すように、ドア部材１１０における収容部１３０側の面である裏面１１０ｂには、突起状の解除部材１１７が配置される。解除部材１１７については、後に詳述する。
【００２９】
図７（ａ）及び（ｂ）に示すように、クリップ部材１５０は、開状態と閉状態とに状態変化可能に構成される。具体的には、クリップ部材１５０は、輸液チューブ５を挟み込み内部の液体を送液できない閉塞状態にする閉状態と、内部の液体を送液できる送液状態にする開状態とに状態変化可能に構成される。
また、クリップ部材１５０は、上述の通り、垂直方向Ｚに垂直なＸＹ平面方向（水平方向）に開閉可能に収容部１３０に収容配置される。
【００３０】
図６に示すように、クリップ部材１５０は、第１クリップ部１５１と、第２クリップ部１５２と、第１クリップ部１５１及び第２クリップ部１５２を連結するバネ連結部１５３とを有する。
【００３１】
図４から図６に示すように、第１クリップ部１５１は、輸液チューブ５における一方の側面側に配置される部分である。第１クリップ部１５１は、第２クリップ部１５２と対向して配置される腕部である。
第１クリップ部１５１は、第１係合部１６５と、第１押圧部１６１とを有する。
【００３２】
第１係合部１６５は、第２クリップ部１５２部側に突出した形状に形成され、後述する第２クリップ部１５２の第２係合部１６６に係合する。第１係合部１６５が第２係合部１６６に係合すると、クリップ部材１５０は、輸液チューブ５を閉塞状態にさせる閉状態になる。ここで、第１係合部１６５は、第２係合部１６６に係合することで、クリップ部材１５０を閉状態で維持させる。
【００３３】
第１押圧部１６１は、第１クリップ部１５１における第１係合部１６５よりも自由端側に形成される。第１押圧部１６１は、水平方向に垂直な面状に形成される。第１押圧部１６１は、後述する第２クリップ部１５２の第２押圧部１６２に対向して配置される。
第１押圧部１６１は、クリップ部材１５０が閉状態において、輸液チューブ５における一方の側面を押圧する部分である。第１押圧部１６１は、クリップ部材１５０が閉状態において、第２押圧部１６２と共に輸液チューブ５を挟み込んで閉塞状態にさせる部分である。
【００３４】
第２クリップ部１５２は、輸液チューブ５における他方の側面側に配置される部分である。本実施形態において、輸液チューブ５における他方の側面とは、第１クリップ部１５１が配置された側と対向する側の外面である。第２クリップ部１５２は、第１クリップ部１５１と対向して配置される腕部である。第２クリップ部１５２は、第２係合部１６６と、第２押圧部１６２と、被押圧部１６８とを有する。
【００３５】
第２係合部１６６は、第１クリップ部１５１側に突出した形状に形成され、第１クリップ部１５１の第１係合部１６５に係合する。第２係合部１６６が第１係合部１６５に係合すると、クリップ部材１５０は、輸液チューブ５を閉塞状態にさせる閉状態になる。ここで、第２係合部１６６は、第１係合部１６５に係合することで、クリップ部材１５０を閉状態で維持させる。
【００３６】
第２押圧部１６２は、第２クリップ部１５２における第２係合部１６６よりも自由端側に形成される。第２押圧部１６２は、水平方向に垂直な面状に形成される。第２押圧部１６２は、第１クリップ部１５１の第１押圧部１６１に対向して配置される。
第２押圧部１６２は、クリップ部材１５０が閉状態において、輸液チューブ５における他方の側面を押圧する部分である。第２押圧部１６２は、クリップ部材１５０が閉状態において、第１押圧部１６１と共に輸液チューブ５を挟み込んで閉塞状態にさせる部分である。
【００３７】
図４から図６に示すように、被押圧部１６８は、本実施形態においては、第２クリップ部１５２に垂直方向Ｚに突出して形成される。詳細には、被押圧部１６８は、第２係合部１６６に垂直方向Ｚに突出して形成される板状の部分である。本実施形態において、被押圧部１６８は、水平方向において第１クリップ部１５１側（ドア部材１１０の回動軸１１５側）に偏って形成される。
【００３８】
被押圧部１６８は、外部からの力を第２係合部１６６に伝える。具体的には、被押圧部１６８は、第１係合部１６５と第２係合部１６６とが互いに係合している状態（クリップ部材１５０が閉状態）において、後述するドア部材１１０に形成された解除部材１１７により加えられた力を第２係合部１６６に伝達する。被押圧部１６８は、第２係合部１６６に対して第１係合部１６５との係合を解除する方向の力を伝え、第２係合部１６６との係合を解除させる。
【００３９】
図６に示すように、バネ連結部１５３は、第１クリップ部１５１と第２クリップ部１５２とを連結する部分である。図７（ａ）に示すように、バネ連結部１５３は、第１クリップ部１５１と第２クリップ部１５２とを自然状態において互いに離間した状態になるよう連結する。
バネ連結部１５３は、第１係合部１６５と第２係合部１６６とが係合した状態において、互いに離間する方向に付勢するよう第１クリップ部１５１と第２クリップ部１５２とを連結する。バネ連結部１５３は、第１係合部１６５と第２係合部１６６との係合が解除されるとクリップ部材１５０が閉状態から開状態に状態変化するよう第１クリップ部１５１と第２クリップ部１５２とを連結する。
【００４０】
図２及び図４に示すように、クリップ部材１５０は、輸液チューブ５を閉塞状態にするよう取り付けた閉状態において、クリップ収容部１３５に収容配置される。また、クリップ部材１５０は、クリップ収容部１３５に収容された状態において、規制部１３７により第１クリップ部１５１の水平方向への移動が規制される。また、クリップ部材１５０は、ドア部材１１０が開位置から閉位置に回動移動した場合において解除部材１１７により被押圧部１６８が押圧されることで、係合状態が解除され、閉状態から開状態に状態変化する。また、クリップ部材１５０は、ドア部材１１０が閉位置から開位置に回動移動した場合において後述のクリップ押圧カム３１７に押圧されることで、開状態から閉状態に状態変化する。
【００４１】
図４及び図５に示すように、解除部材１１７は、ドア部材１１０における収容部１３０側の面に配置される。即ち、解除部材１１７は、ドア部材１１０における裏面１１０ｂ側に配置される。
【００４２】
図２及び図４に示すように、解除部材１１７は、ドア部材１１０が開位置に位置した場合には被押圧部１６８を押圧しない。解除部材１１７は、ドア部材１１０が開位置に位置した場合には被押圧部１６８に当接しない。
また、解除部材１１７は、ドア部材１１０が開位置から閉位置に移動する場合、開位置と閉位置との間の所定位置において被押圧部１６８を押圧して第１係合部１６５と第２係合部１６６との係合を解除させる。解除部材１１７は、ドア部材１１０が開位置から閉位置に移動する場合、開位置と閉位置との間の所定位置において被押圧部１６８を押圧すると共に移動させて、第１係合部１６５と第２係合部１６６との係合を解除させる。
【００４３】
続けて、クリップ押圧機構部３００は、ドア部材１１０が閉位置から開位置に回動移動するにともない、開状態のクリップ部材１５０における他方側（規制部１３７と反対側）を押圧して第１係合部１６５と第２係合部１６６とを係合させる。クリップ押圧機構部３００は、ドア部材１１０の閉位置から開位置への回動移動と連動して、クリップ部材１５０を開状態から閉状態に状態変化させる機構部である。
【００４４】
図５に示すように、クリップ押圧機構部３００は、第１歯車３１１と、第２歯車３１３と、第３歯車３１５と、クリップ押圧カム３１７とを有する。
第１歯車３１１は、ドア部材１１０の回動軸１１５と同軸に連結される。第１歯車３１１は、第２歯車３１３に噛み合って配置される。第１歯車３１１は、ドア部材１１０の回動移動を回転（量）として第２歯車に伝達する。
【００４５】
第２歯車３１３は、第１歯車３１１及び第３歯車３１５に噛み合って配置される。第２歯車３１３は、ドア部材１１０が閉位置から開位置に回動移動した場合における第１歯車３１１の回転により第１回転方向に回転する。第２歯車３１３は、ドア部材１１０が開位置から閉位置に回動移動した場合における第１歯車３１１の回転により第１回転方向と反対方向の第２回転方向に回転する。
第２歯車３１３は、第１歯車３１１の回転を第３歯車３１５に伝達する。つまり、第２歯車３１３は、ドア部材１１０の回動移動を第３歯車３１５に伝達する。
【００４６】
第３歯車３１５は、第２歯車３１３に噛み合って配置される。第３歯車３１５には、第１歯車３１１及び第２歯車３１３を介して、ドア部材１１０の回動が伝達される。
【００４７】
クリップ押圧カム３１７は、クリップ部材１５０における規制部１３７と反対側（他方側）に配置される。クリップ押圧カム３１７は、第３歯車３１５と同軸である回転軸３１６に連結される。クリップ押圧カム３１７は、第３歯車３１５と同期して回転する。クリップ押圧カム３１７には、第１歯車３１１、第２歯車３１３及び第３歯車３１５を介して、ドア部材１１０の回動が伝達される。
【００４８】
クリップ押圧カム３１７は、ドア部材１１０が閉位置から開位置に回動移動するにともない、開状態のクリップ部材１５０における他方側（水平方向において規制部１３７と反対側）を押圧して、第１係合部１６５と第２係合部１６６とを係合させる。より詳細には、クリップ押圧カム３１７は、ドア部材１１０が閉位置から開位置に回動移動するにともない、開状態のクリップ部材１５０における第２クリップ部１５２を第１クリップ部１５１側に押圧して、第１係合部１６５と第２係合部１６６とを係合させる。
つまり、クリップ押圧カム３１７は、ドア部材１１０が閉位置から開位置に回動移動するにともない、クリップ部材１５０を開状態から閉状態に状態変化させる。
【００４９】
また、クリップ押圧カム３１７は、ドア部材１１０が開位置に位置した場合、クリップ部材１５０の閉状態から開状態への状態変化を規制する。
また、クリップ押圧カム３１７は、ドア部材１１０が開位置から閉位置に回動移動した場合、ドア部材１１０が所定位置（解除部材１１７が被押圧部１６８に当接する位置）に位置した状態において、クリップ部材１５０における閉状態から開状態への状態変化を規制しない。
【００５０】
続けて、図８（ａ）から図８（ｄ）により、輸液チューブ５を輸液装置１０に取り付ける一連の動作について説明する。
まず、図８（ａ）に示すように、作業者は、開状態のクリップ部材１５０を輸液チューブ５に取り付ける。
【００５１】
図８（ｂ）に示すように、作業者は、クリップ部材１５０を閉状態にして、輸液チューブ５を閉塞状態にする。具体的には、作業者は、開状態のクリップ部材１５０を、第１クリップ部１５１と第２クリップ部１５２との間に輸液チューブ５が位置するように移動し、第１係合部１６５と第２係合部１６６とを係合させ、閉状態にする。これにより、クリップ部材１５０は、第１押圧部１６１と第２押圧部１６２とにより輸液チューブ５を挟み込んで閉塞状態にする。また、クリップ部材１５０は、第１係合部１６５と第２係合部１６６とが互いに係合しているので、閉状態で維持される。
【００５２】
続けて、図８（ｃ）に示すように、作業者は、ドア部材１１０を開位置に位置させ、収容部１３０を外部に露出させる。続けて、作業者は、輸液チューブ５に取り付けられたクリップ部材１５０を、バネ連結部１５３が奥側に位置し自由端側が手前側に位置するようにクリップ収容部１３５に収容配置すると共に、輸液チューブ５を上述したガイド部１９１、第１取付け部１３１、及び第２取付け部１３３に押し入れる。また、輸液チューブ５を、気泡検出部１３２の間を通過するように配置する。
【００５３】
これにより、図８（ｄ）に示すように、輸液チューブ５の一部は、垂直方向Ｚに沿って収容部１３０に収容配置される。また、閉状態のクリップ部材１５０は、クリップ収容部１３５に収容配置される。
【００５４】
続けて、図９（ａ）から図９（ｅ）により、ドア部材１１０を開位置から閉位置に回動移動させた場合におけるＡＦＦ機構２００の作用を説明する。
まず、図９（ａ）に示すように、作業者は、ドア部材１１０を開位置から閉位置に回動移動させる。
【００５５】
図９（ｂ）及び図９（ｃ）に示すように、ドア部材１１０が開位置から閉位置に回動移動することで、第１歯車３１１が回転する。第１歯車３１１の回転は、第２歯車３１３及び第３歯車３１５を介して、クリップ押圧カム３１７に伝達される。クリップ押圧カム３１７は、矢印の方向に回転する。これにより、クリップ押圧カム３１７は、クリップ部材１５０の第２クリップ部１５２から離間する。
【００５６】
図９（ｄ）に示すように、ドア部材１１０が更に閉位置側に回動移動することで、解除部材１１７は、クリップ部材１５０における被押圧部１６８に当接する。ドア部材１１０が開位置と閉位置との間の所定位置に位置すると、解除部材１１７は、被押圧部１６８に当接する。そして、解除部材１１７は、第１係合部１６５と第２係合部１６６との係合を解除する方向（図９（ｄ）においては、上方向又は左上方向）への力を被押圧部１６８に伝達する。
【００５７】
そして、図９（ｅ）に示すように、ドア部材１１０が更に閉位置側に回動移動することで、解除部材１１７は、クリップ部材１５０における被押圧部１６８を更に押圧し、第１係合部１６５と第２係合部１６６との係合を解除させる。これにより、クリップ部材１５０は、閉状態から開状態に状態変化する。また、これにより、輸液チューブ５は、閉塞状態から開状態になり、薬液３を送液可能な状態になる。そして、ドア部材１１０は、閉位置に位置する。
【００５８】
続けて、図１０（ａ）から図１０（ｅ）により、ドア部材１１０を閉位置から開位置に回動移動させた場合におけるＡＦＦ機構２００の作用を説明する。
まず、図１０（ａ）に示すように、作業者は、ドア部材１１０を閉位置から開位置に回動移動させる。
【００５９】
図１０（ｂ）から図１０（ｄ）に示すように、ドア部材１１０が閉位置から開位置に回動移動することで、第１歯車３１１が回転する。第１歯車３１１の回転は、第２歯車３１３及び第３歯車３１５を介して、クリップ押圧カム３１７に伝達される。クリップ押圧カム３１７は、矢印の方向に回転する。クリップ押圧カム３１７の回転方向は、ドア部材１１０を開位置から閉位置に回動する場合と反対の方向である。
これにより、クリップ押圧カム３１７は、開状態におけるクリップ部材１５０における第２クリップ部１５２に当接すると共に第２クリップ部１５２を第１クリップ部１５１側に押圧する。ここで、第１クリップ部１５１は、規制部１３７により水平方向への移動が規制されている。そのため、第２クリップ部１５２は、第１クリップ部１５１側に移動される。言い換えると、第２係合部１６６は、第１係合部１６５側に移動される。
【００６０】
そして、図１０（ｅ）に示すように、ドア部材１１０が更に開位置側に回動移動することで、クリップ押圧カム３１７は、クリップ部材１５０における第２クリップ部１５２を更に押圧し、第１係合部１６５と第２係合部１６６とを係合させる。これにより、クリップ部材１５０は、開状態から閉状態に状態変化する。また、これにより、輸液チューブ５は、開状態から開塞状態になり、薬液３を送液不可な状態になる。そして、ドア部材１１０は、開位置に位置する。
【００６１】
続けて、図１１（ａ）から図１１（ｃ）により、輸液チューブを輸液装置から取り外す一連の動作について説明する。
図１１（ａ）及び図１１（ｂ）に示すように、ドア部材１１０が開位置に位置した場合、クリップ部材１５０は閉状態である。つまり、収容部１３０に収容配置された輸液チューブ５は、閉状態のクリップ部材１５０により閉塞状態となっている。
【００６２】
続けて、図１１（ｃ）に示すように、作業者は、輸液チューブ５を収容部１３０から外部に取り出す。ここで、輸液チューブ５は、クリップ部材１５０により閉塞状態が維持されている。そのため、輸液チューブ５を輸液装置１０から取り外した際、薬液３が重力により患者側に流れるフリーフローの発生を抑制できる。
【００６３】
本実施形態によれば、ＡＦＦ機構２００は、ドア部材１１０を開位置から閉位置に回動移動せることで、クリップ部材１５０を閉状態から開状態にすることができる。これにより、作業者は、クリップ部材１５０を閉状態にした閉塞状態の輸液チューブ５を収容部１３０に取り付けることができる。これにより、輸液チューブ５を取り付ける際におけるフリーフローの発生を抑制できる。
【００６４】
また、本実施形態によれば、ＡＦＦ機構２００は、ドア部材１１０を閉位置から開位置に回動移動させることで、クリップ部材１５０を開状態から閉状態にすることができる。これにより、作業者は、クリップ部材１５０を閉状態にした閉塞状態の輸液チューブ５を収容部１３０から取り出すことができる。これにより、輸液チューブ５を取り外す際におけるフリーフローの発生を抑制できる。
【００６５】
続けて、図１２から図１５により、第２実施形態について説明する。図１２は、第２実施形態におけるＡＦＦ機構２００Ａの概要を説明する図である。図１３は、第２実施形態におけるＡＦＦ機構２００Ａの構成を説明する図である。図１４は、第２実施形態におけるクリップ収容筐体１３５Ａを説明する図である。図１５は、第２実施形態におけるクリップ押圧機構部５００を説明する図である。図１６は、第２実施形態のＡＦＦ機構２００Ａにおいて、ドア部材１１０を閉位置に位置させた状態を示す図である。図１７は、第２実施形態のＡＦＦ機構２００Ａにおいて、ドア部材１１０を開位置に位置させた状態を示す図である。
なお、第２実施形態は、クリップ押圧機構部５００の構成が異なる点で第１実施形態と相違する。以下、第１実施形態と相違する点を中心に説明する。同様の構成については説明を省略する。
【００６６】
図１２に示すように、第２実施形態において、ＡＦＦ機構２００Ａは、第１実施形態と構成が異なるクリップ押圧機構部５００を有する。クリップ押圧機構部５００は、ドア部材１１０の開閉移動に応じて、クリップ部材１５０を開閉させる点においては第１実施形態と同様である。
【００６７】
図１２から図１５に示すように、第２実施形態において、クリップ押圧機構部５００は、クリップ収容筐体１３５Ａと、連結部材５１５と、第１腕部材５０１及び第２腕部材５０２と、軸部材５１７と、クリップ押圧部材５０６と、を有する。
【００６８】
クリップ収容筐体１３５Ａは、図１２から図１４に示すように、少なくとも一の面が開口した箱状に形成される。クリップ収容筐体１３５Ａの内部には、クリップ収容部１３５が形成される。クリップ収容筐体１３５Ａの上面及び下面には、それぞれ、後述するクリップ押圧部材５０６の移動をガイドする第１ガイド部５１２及び第２ガイド部５１３が湾曲した長穴として形成される。
また、第２実施形態では、図１３及び図１４に示すように、クリップ収容筐体１３５Ａの一部により規制部１３７が構成される。
【００６９】
連結部材５１５は、図１３及び図１５に示すように、一端側及び他端側が同じ方向に略直角に屈曲された帯板状の部材により構成される。この連結部材５１５における一端側及び他端側には、それぞれ貫通孔５１５ａ，５１５ｂが形成される。また、連結部材５１５における中央部にも貫通孔５１５ｃが形成される。連結部材５１５は、図１２に示すように、長手方向が垂直方向Ｚに沿うように、かつ、屈曲部分の先端部が収容部１３０側を向くようにドア部材１１０の裏面１１０ｂに固定される。連結部材５１５のドア部材１１０への固定は、貫通孔５１５ｃにボルト等（図示せず）を挿し込むことにより行われる。
【００７０】
第１腕部材５０１及び第２腕部材５０２それぞれは、一端側が垂直方向Ｚに延びる軸部材５１７を介して連結部材５１５の屈曲部分に連結される。より具体的には、第１腕部材５０１及び第２腕部材５０２の一端側には、貫通孔（図示せず）が形成されており、これらの貫通孔の位置を連結部材５１５における貫通孔５１５ａ，５１５ｂの位置と一致させた状態でこれらの貫通孔に軸部材５１７が挿通される。これにより、第１腕部材５０１及び第２腕部材５０２は、軸部材５１７を回動中心として回動可能に連結部材５１５に連結される。即ち、第２実施形態では、第１腕部材５０１及び第２腕部材５０２は、連結部材５１５及び軸部材５１７を介して間接的にドア部材１１０に連結されている。
第１腕部材５０１及び第２腕部材５０２の他端側には、後述する第１挿通部５０４ａ及び第２挿通部５０４ｂに挿通される第１被挿通孔５０１ａ及び第２被挿通孔５０１ｂが形成される。
【００７１】
クリップ押圧部材５０６は、クリップ部材１５０における平面方向の他方側（軸部材５１７側と反対側）に配置される。クリップ押圧部材５０６は、第１腕部材５０１及び第２腕部材５０２の他端側に連結される。
クリップ押圧部材５０６は、図１５に示すように、中央部に配置される円柱状の本体部５０６ａと、この本体部５０６ａの両端部から垂直方向Ｚに延びる円柱状の第１挿通部５０４ａ及び第２挿通部５０４ｂと、を備える。第１挿通部５０４ａ及び第２挿通部５０４ｂそれぞれは、本体部５０６ａよりも細径に形成され、第１被挿通孔５０１ａ及び第２被挿通孔５０１ｂに挿通される。
また、第１挿通部５０４ａ及び第２挿通部５０４ｂそれぞれは、クリップ収容筐体１３５Ａに形成された第１ガイド部５１２及び第２ガイド部５１３に挿通される。
【００７２】
図１６及び図１７に示すように、クリップ押圧部材５０６は、ドア部材１１０が閉位置から開位置に回動移動するにともない、第１腕部材５０１及び第２腕部材５０２により移動されると共に、第１ガイド部５１２及び第２ガイド部５１３により移動がガイドされる。
これにより、クリップ押圧部材５０６は、ドア部材１１０が閉位置から開位置に回動移動するにともない、本体部５０６ａが開状態のクリップ部材１５０における他方側（規制部１３７と反対側）を押圧して第１係合部１５１と第２係合部１５２とを係合させ、クリップ部材１５０を開状態から閉状態に状態変化させる。
【００７３】
また、クリップ押圧部材５０６は、ドア部材１１０が開位置に位置した場合、クリップ部材１５０の閉状態から開状態への状態変化を規制する。
また、クリップ押圧部材５０６は、ドア部材１１０が開位置から閉位置に回動移動した場合、ドア部材１１０が所定位置に位置した状態において、クリップ部材１５０の閉状態から開状態への状態変化を規制しないよう構成される。
【００７４】
第２実施形態におけるＡＦＦ機構２００Ａは、第１実施形態と同様に、輸液チューブ５の着脱時におけるフリーフローの発生を抑制できる。
【００７５】
以上、本発明のアンチフリーフロー機構及び輸液装置の好ましい各実施形態について説明したが、本発明は、上述した実施形態に制限されるものではなく、適宜変更が可能である。
例えば、上述の実施形態においては、ドア部材１１０は、垂直方向Ｚ（第１方向）に沿う回動軸を中心に回動可能に構成されるが、これに限定されず、例えば、水平方向に沿う回動軸を中心に回動可能に構成されてもよい。
【００７６】
また、上述の実施形態においては、被押圧部１６８は、第２係合部１５２に形成されているが、これに限定されず、第１係合部に形成されていてもよい。
【００７７】
また、上述の実施形態においては、規制部１３７は、第１クリップ部１５１側に配置されているが、これに限定されず、例えば、第２クリップ部側に配置されていてもよい。この場合、クリップ押圧カム又はクリップ押圧部材は、第２クリップ部側ではなく、第１クリップ部側に配置される。
【００７８】
また、上述の実施形態においては、送液部１９０は、フィンガー部を有するタイプであるが、これに限定されず、例えば、ローラ等で輸液チューブをしごくタイプでもよい。
【００７９】
また、第２実施形態において、第１腕部材５０１及び第２腕部材５０２は、一端側がドア部材１１０に間接的に連結されているが、これに限定されず、直接連結されていてもよい。
【符号の説明】
【００８０】
１        輸液ラインシステム
２        輸液バッグ
３        薬液
１０      輸液装置
１０１    筐体
１１０    ドア部材
１１５    回動軸
１１７    解除部材
１３０    収容部
１３５    クリップ収容部
１３７    規制部
１５０    クリップ部材
１５１    第１クリップ部
１５２    第２クリップ部
１５３    バネ連結部
１６１    第１押圧部
１６２    第２押圧部
１６５    第１係合部
１６６    第２係合部
１６８    被押圧部
１９０    送液部
２００    ＡＦＦ機構（アンチフリーフロー機構）
３００    クリップ押圧機構部
３１１    第１歯車
３１３    第２歯車
３１５    第３歯車
３１６    回転軸
３１７    クリップ押圧カム
【図１】
2017064276.tif 000003
【図２】
2017064276.tif 000004
【図３】
2017064276.tif 000005
【図４】
2017064276.tif 000006
【図５】
2017064276.tif 000007
【図６】
2017064276.tif 000008
【図７】
2017064276.tif 000009
【図８】
2017064276.tif 000010
【図９】
2017064276.tif 000011
【図１０】
2017064276.tif 000012
【図１１】
2017064276.tif 000013
【図１２】
2017064276.tif 000014
【図１３】
2017064276.tif 000015
【図１４】
2017064276.tif 000016
【図１５】
2017064276.tif 000017
【図１６】
2017064276.tif 000018
【図１７】
2017064276.tif 000019